(57)【特許請求の範囲】
【請求項１】
柱と梁から略箱形に形成された居室建物ユニットと、前記居室建物ユニットの内部の一側を居室部に、他側をバルコニー部とすると共に、バルコニー部の少なくとも一個の柱を省略した柱省略角部を有するバルコニー部付き建物ユニットとからなり、前記バルコニー部付き建物ユニットのバルコニー部を屋外側に、居室部を隣接する前記居室建物ユニットに突き合わせて配置し、前記バルコニー部付き建物ユニットの柱省略角部の天井梁から、隣接する前記居室建物ユニットの天井梁に渡る補強梁を架け渡し、また該補強梁に直交する補強梁を前記バルコニー部付き建物ユニットの前記バルコニー部の天井梁に設けたことを特徴とするバルコニー付きユニット建物。
【請求項２】
複数の前記居室建物ユニットと複数の前記バルコニー部付き建物ユニットを備え、バルコニー部付き建物ユニットの居室部とバルコニー部を隔てるそれぞれの区画壁を連続させると共に、前記柱省略角部を互いに突き合わせて配置してなることを特徴とする請求項１記載のバルコニー付きユニット建物。
【請求項３】
前記バルコニー部の前側または横側に、バルコニー部の床と連続する床を有するバルコニーユニットを連結してなることを特徴とする請求項１または２記載のバルコニー付きユニット建物。
【発明の詳細な説明】
【０００１】
【発明の属する技術分野】
本発明は、バルコニー付きユニット建物に関する。
【０００２】
【従来の技術】
従来、バルコニー付きユニット建物としては、特許公報第２６１０７５５号に記載されているものが知られている。
上記公報記載のバルコニー付きユニット建物は、内部に区画されたバルコニー部と居室部とが形成された建物ユニットと、
この建物ユニットの前側に連結され、前記バルコニー部の床と連続する床を有する前側バルコニーユニットと、
この前側バルコニーユニットの横側に連結される横側バルコニーユニットとを含んで構成されたものである。
【０００３】
【発明が解決しようとする課題】
上記特許公報第２６１０７５５号記載のバルコニー付きユニット建物においては、バルコニー付きユニット建物を複数隣接配置すると、バルコニー部の柱が外部に露出するので、外観意匠性を損なわれるという問題がある。また、バルコニー部の前側または横側に、バルコニー部の床と連続する床を有するバルコニーユニットを連結すると、広い連続したバルコニーを形成できるが、バルコニー部の柱が床から突き出て露出するので、外観意匠性を損なうと共に、歩行等の邪魔になるという問題がある。
【０００４】
本発明は、上述のような従来技術の問題点を解消するためになされたものであって、外観意匠性を損なわずに歩行等に支障のない広い連続したバルコニーを形成できるバルコニー付きユニット建物を提供することを課題とする。
【０００５】
【課題を解決するための手段】
請求項１記載の発明は、柱と梁から略箱形に形成された居室建物ユニットと、前記居室建物ユニットの内部の一側を居室部に、他側をバルコニー部とすると共に、バルコニー部の少なくとも一個の柱を省略した柱省略角部を有するバルコニー部付き建物ユニットとからなり、前記バルコニー部付き建物ユニットのバルコニー部を屋外側に、居室部を隣接する前記居室建物ユニットに突き合わせて配置し、前記バルコニー部付き建物ユニットの柱省略角部の天井梁から、隣接する前記居室建物ユニットの天井梁に渡る補強梁を架け渡し、また該補強梁に直交する補強梁を前記バルコニー部付き建物ユニットの前記バルコニー部の天井梁に設けたことを特徴とするバルコニー付きユニット建物である。
【０００６】
請求項２記載の発明は、請求項１記載のバルコニー付きユニット建物において、複数の前記居室建物ユニットと複数の前記バルコニー部付き建物ユニットを備え、バルコニー部付き建物ユニットの居室部とバルコニー部を隔てるそれぞれの区画壁を連続させると共に、前記柱省略角部を互いに突き合わせて配置してなることを特徴としている。
【０００７】
請求項３記載の発明は、請求項１または２記載のバルコニー付きユニット建物において、前記バルコニー部の前側または横側に、バルコニー部の床と連続する床を有するバルコニーユニットを連結してなることを特徴としている。
【０００８】
上記請求項１〜３記載のバルコニー付きユニット建物が複数階でなる場合、バルコニー部を下階部分または上階部分のいずれに設けてもよい。
【０００９】
（作用）
請求項１記載のバルコニー付きユニット建物においては、バルコニー部の少なくとも一個の柱を省略した柱省略角部を有しているので、柱を取り除くことによりバルコニー部で
柱の露出がなく、外観意匠性がよい。
また、柱省略角部の天井梁から、隣接する建物ユニットの天井梁に渡る補強梁を架け渡し、また該補強梁に直交する補強梁を両バルコニー部付き建物ユニットの前記バルコニー部の天井梁間に設けたので、柱省略角部の柱を取り除いてもバルコニー付きユニット建物の天井構造強度を確保できる。
【００１０】
請求項２記載のバルコニー付きユニット建物においては、さらに、複数のバルコニー部付き建物ユニットの居室部とバルコニー部を隔てるそれぞれの区画壁を連続させると共に、柱省略角部を互いに突き合わせて配置しているので、柱を取り除くことにより柱の露出がなく、外観意匠性のよい間口の広い連続したバルコニー部を形成できる。
【００１１】
請求項３記載のバルコニー付きユニット建物においては、さらに、前記バルコニー部の前側または横側に、バルコニー部の床と連続する床を有するバルコニーユニットを連結しているので、広い連続したバルコニーを形成できる。そして、柱省略角部の柱を取り除くことにより、バルコニー部の床から柱が突き出ていないので、外観意匠性がよいと同時に、歩行等に支障がない。
【００１２】
【発明の実施の形態】
以下、本発明の実施の形態について図面を参照しながら詳細に説明する。
図１〜図６は、本発明の一実施の形態であって、図１（イ）図はバルコニー付きユニット建物の斜視図、（ロ）図は（イ）図に示すユニット建物の２階部分のの平面図である。図２は図１の変形例を示す平面図、図３は図１の別の変形例を示す平面図である。
図４は建物ユニットの斜視図、図５は柱省略建物ユニットの斜視図、図６はバルコニー部付き建物ユニットの斜視図である。
【００１３】
図１〜図６において、Ｔはバルコニー付きユニット建物、１は居室建物ユニット、２は柱省略建物ユニット、３はバルコニー部付き建物ユニットである。
本実施例のバルコニー付きユニット建物Ｔは、図１に示すように、２階建てであって、１階部分に４つの居室建物ユニット１、１、・・を配置し、２階部分に二つの居室建物ユニット１、１と二つのバルコニー部付き建物ユニット３、３を配置している。
上記居室建物ユニット１は、図４に示すように、四隅の柱１１、１１、・・と、床梁１２、１２、・・と、天井梁１３、１４、１５、１５を箱形に接合し居室部１Ａを形成している。柱１１と床梁１２、および柱１１と天井梁１３、１４、１５とは、いずれも、ジョイントピース１６を介して接合されている。
【００１４】
上記バルコニー部付き建物ユニット３は、図６に示すように、前記居室建物ユニット１の内部を区画壁３７で区画し、区画壁３７の一側を居室部３Ａに、他側をバルコニー部３Ｂとすると共に、バルコニー部３Ｂの一方の柱を省略した柱省略角部Ａ（図１（ロ）図参照）を有している。この柱省略角部Ａには、建物ユニット３の輸送途上では仮柱３６が設けられており、この仮柱３６の上端は短柱３４と、下端は短柱３５と接続される。そして、建築現場において上記仮柱３６は取り外される。
従って、バルコニー部付き建物ユニット３は、三隅の柱３１、３１、３１と、上下の短柱３４、３５と、床梁３２、３２、・・と、天井梁３３、３３、・・とを箱形に接合して構成されている。
また、バルコニー部３Ｂには、柱３１と短柱３５間に袖壁３９が設けられ、柱省略角部Ａと区画壁３７との間は開口され、床３８には床板が貼設されている。また、区画壁３７には居室部３Ａからバルコニー部３Ｂに通じる開口部（不図示）が設けられている。
【００１５】
上記バルコニー付きユニット建物Ｔにおいては、バルコニー部付き建物ユニット３のバルコニー部３Ｂを屋外側に向け、居室部３Ａを前記居室建物ユニット１に突き合わせて配置し、柱省略角部Ａの天井梁３３から、隣接する居室建物ユニット１の天井梁１５に渡る補強梁４を架け渡している。
上記補強梁４は、隣接するバルコニー部付き建物ユニット３、３間の隙間、および居室建物ユニット１、１間の隙間に設けられ、補強梁４の一端を柱省略角部Ａの短柱３４に、他端を居室建物ユニット１の柱１１に連結固定し、中央部を４つの角部が突き合わされたそれぞれの柱１１、１１、３１、３１に固定している。
【００１６】
そしてまた、上記バルコニー付きユニット建物Ｔにおいては、二つのバルコニー部付き建物ユニット３、３のそれぞれの区画壁３７、３７を連続させ、柱省略角部Ａを互いに突き合わせて配置している。
【００１７】
図２に示すバルコニー付きユニット建物Ｔにおいては、上記補強梁４に加えて補強梁４Ａを追加して設けている。
補強梁４Ａは、補強梁４と直交し、一方のバルコニー部３Ｂの天井梁３３から他方の天井梁３３に架け渡している。
【００１８】
図３に示すバルコニー付きユニット建物Ｔにおいては、さらに、上記図２に示すユニット建物Ｔの柱省略角部Ａに加えて柱省略角部Ｂを設けている。
上記バルコニー付きユニット建物Ｔの２階部分は、二つのバルコニー部付き建物ユニット３、３と、二つの柱省略建物ユニット２、２とから構成されている。上記柱省略建物ユニット２は、図５に示すように、前記建物ユニット１の一つの柱１１を省略したものであって、３隅の柱２１、２１、２１と、床梁２２、２２、・・と、天井梁２３、２３、・・とから構成され、柱省略角部Ｂには、輸送途上では仮柱２５を短柱２４に接続して設けている。
また、図３に示すバルコニー部付き建物ユニット３では、図示省略しているが、仮柱３６に加えもう一方の短辺側柱３１も省略し、これを同様の仮柱としている。
これによって、隣接する４つの居室部２Ａ、２Ａ、３Ａ、３Ａは、柱のない連続した広い居室空間となる。
【００１９】
上記構成になされた本実施例のバルコニー付きユニット建物Ｔにおいては、いずれも、バルコニー部３Ｂの一個の柱を省略した柱省略角部Ａを有しているので、バルコニー部３Ｂで柱の露出がなく、外観意匠性がよい。
また、柱省略角部Ａの天井梁３３から、隣接する居室建物ユニット１の天井梁１５に渡る補強梁４を架け渡しているので、バルコニー付きユニット建物Ｔの天井構造強度を確保できる。
【００２０】
バルコニー付きユニット建物Ｔにおいては、さらに、二つのバルコニー部付き建物ユニット３、３のそれぞれの区画壁３７、３７を連続させ、柱省略角部Ａを互いに突き合わせて配置しているので、柱の露出がなく、外観意匠性のよい間口の広いバルコニー部３Ｂを形成できる。
【００２１】
図７〜図１０は、本発明の別の実施の形態であって、図７（イ）図はバルコニー付きユニット建物の斜視図、（ロ）図は（イ）図の２階部分の平面図である。図８〜図１０は図７の変形例であって、いずれもバルコニー付きユニット建物の平面図である。
本実施の形態において、前記実施の形態と本質的に同じものには同符合を付けて説明を省略し、異なるものだけ別符合を付けて説明する。
図７〜図１０において、Ｔ１、Ｔ２、Ｔ３、Ｔ４はいずれもバルコニー付きユニット建物である。
【００２２】
図７に示すバルコニー付きユニット建物Ｔ１は、前記図１に示したバルコニー部３Ｂ、３Ｂの前側に、バルコニー部３Ｂの床３８と連続する床を有するバルコニーユニット５、５を連結してなるものである。
【００２３】
図８に示すバルコニー付きユニット建物Ｔ２は、同じく２階建てであって、１階部分に六つの居室建物ユニット１、１、・・を配置し、２階部分に三つの居室建物ユニット１、１、１と三つのバルコニー部付き建物ユニット３、３、３を配置し、バルコニー部３Ｂ、３Ｂ、３Ｂの前側に、バルコニー部３Ｂの床３８と連続する床を有するバルコニーユニット５、５、５を連結してなるものである。
そして、二つの柱省略角部Ａ、Ａが形成され、これら柱省略角部Ａの天井梁から、隣接する建物ユニット１の天井梁に渡る補強梁４を架け渡している。
【００２４】
図９に示すバルコニー付きユニット建物Ｔ３は、同じく２階建てであって、１階部分に六つの居室建物ユニット１、１、・・を配置し、２階部分に五つの居室建物ユニット１、１、・・と紙面上右下角部のバルコニー部付き建物ユニット３とを配置し、バルコニー部３Ｂの前側に、バルコニー部３Ｂの床３８と連続する床を有するバルコニーユニット５、５、５を連結し、さらに、バルコニー部３Ｂの横側に横側バルコニーユニット５Ａを連結している。
そして、一つの柱省略角部Ａが形成され、この柱省略角部Ａの天井梁から、隣接する建物ユニット１の天井梁に渡る補強梁４を架け渡している。
【００２５】
図１０に示すバルコニー付きユニット建物Ｔ４は、同じく２階建てであって、１階部分に七つの居室建物ユニット１、１、・・をＴ字形に配置し、２階部分に六つの居室建物ユニット１、１、・・と、さらに、紙面上中央下側のバルコニー部付き建物ユニット３とを配置し、バルコニー部３Ｂの前側に、バルコニー部３Ｂの床３８と連続する床を有するバルコニーユニット５を連結し、さらに、バルコニー部３Ｂの両横側に横側バルコニーユニット５Ａ、５Ａを連結している。
そして、二つの柱省略角部Ａ、Ａが形成され、これら柱省略角部Ａの天井梁から、隣接する建物ユニット１の天井梁に渡る補強梁４を架け渡している。
【００２６】
上記構成になされた本実施の形態のバルコニー付きユニット建物Ｔ１、Ｔ２、Ｔ３、Ｔ４においては、いずれも、バルコニー部３Ｂの前側または横側に、バルコニー部３Ｂの床３８と連続する床を有するバルコニーユニット５または５Ａを連結しているので、広い連続したバルコニーを形成できる。そして、バルコニー部３Ｂの床３８から柱が突き出ていないので、外観意匠性がよいと同時に、歩行等に支障がない。
【００２７】
【発明の効果】
請求項１記載のバルコニー付きユニット建物においては、バルコニー部の少なくとも一個の柱を省略した柱省略角部を有しているので、バルコニー部で柱の露出がなく、外観意匠性がよい。
また、柱省略角部の天井梁から、隣接する居室建物ユニットの天井梁に渡る補強梁を架け渡し、また該補強梁に直交する補強梁を前記バルコニー部付き建物ユニットのバルコニー部の天井梁に設けたので、バルコニー付きユニット建物の天井構造強度を確保できる。
【００２８】
請求項２記載のバルコニー付きユニット建物においては、さらに、複数のバルコニー部付き建物ユニットのそれぞれの区画壁を連続させ、柱省略角部を互いに突き合わせて配置しているので、柱の露出がなく、外観意匠性のよい間口の広いバルコニー部を形成できる。
【００２９】
請求項３記載のバルコニー付きユニット建物においては、さらに、前記バルコニー部の前側または横側に、バルコニー部の床と連続する床を有するバルコニーユニットを連結しているので、広い連続したバルコニーを形成できる。そして、バルコニー部の床から柱が突き出ていないので、外観意匠性がよいと同時に、歩行等に支障がない。
【図面の簡単な説明】
【図１】本発明の一実施の形態であって、（イ）図はバルコニー付きユニット建物の斜視図、（ロ）図は（イ）図に示すユニット建物の２階部分のの平面図である。
【図２】図１の変形例を示す平面図である。
【図３】図１の別の変形例を示す平面図である。
【図４】居室建物ユニットの斜視図である。
【図５】柱省略建物ユニットの斜視図である。
【図６】バルコニー部付き建物ユニットの斜視図である。
【図７】本発明の別の実施の形態であって、（イ）図はバルコニー付きユニット建物の斜視図、（ロ）図は（イ）図の２階部分の平面図である。
【図８】図７の変形例であって、バルコニー付きユニット建物の平面図である。
【図９】図７の別の変形例であって、バルコニー付きユニット建物の平面図である。
【図１０】図７の他の変形例であって、バルコニー付きユニット建物の平面図である。
【符号の説明】
Ｔ、Ｔ１、Ｔ２、Ｔ３、Ｔ４  バルコニー付きユニット建物
１        居室建物ユニット
１１      柱
１２      床梁
１３、１４、１５    天井梁
２        柱省略建物ユニット
３        バルコニー部付き建物ユニット
３Ａ      居室部
３Ｂ      バルコニー部
３７      区画壁
４        補強梁
Ａ        柱省略角部
５、５Ａ  バルコニーユニット
【図１】
0003694189.tif 000002
【図２】
0003694189.tif 000003
【図３】
0003694189.tif 000004
【図４】
0003694189.tif 000005
【図５】
0003694189.tif 000006
【図６】
0003694189.tif 000007
【図７】
0003694189.tif 000008
【図８】
0003694189.tif 000009
【図９】
0003694189.tif 000010
【図１０】
0003694189.tif 000011